【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
放送データを受信しネットワーク接続されたクライアントに受信データを出力するサーバと、前記サーバから受信するデータの再生または記録を行なうクライアントとを有する通信システムであり、
前記サーバは、
放送データを受信する放送受信部と、
前記クライアントから入力する録画予約情報に基づく録画予約リストを生成するサーバ録画予約情報管理部を有し、
前記クライアントは、
前記サーバから前記録画予約リストを取得するクライアント録画予約情報管理部と、
前記録画予約リストに記録された録画予約情報に基づいて、録画予定コンテンツの取得要求を実行する録画処理部を有し、
前記サーバ録画予約情報管理部は、
ネットワーク接続されたクライアントからのコンテンツ取得要求データを受領し、時間の重複する複数のコンテンツ取得要求データに対して、コンテンツ送信処理を実行する要求データを選択し、選択された要求データの応答としてコンテンツ送信許諾応答を行い要求コンテンツの送信を行なうとともに、選択されなかった要求データの応答として要求が実行されないことを示す応答を行なう構成であることを特徴とする通信システム。
【請求項２】
放送データを受信しネットワーク接続されたクライアントに受信データを出力するサーバとしての情報処理装置であり、
放送データを受信する放送受信部と、
前記クライアントから入力する録画予約情報に基づく録画予約リストを生成するサーバ録画予約情報管理部を有し、
前記サーバ録画予約情報管理部は、
ネットワーク接続されたクライアントからのコンテンツ取得要求データを受領し、時間の重複する複数のコンテンツ取得要求データに対して、コンテンツ送信処理を実行する要求データを選択し、選択された要求データの応答としてコンテンツ送信許諾応答を行い要求コンテンツの送信を行なうとともに、選択されなかった要求データの応答として要求が実行されないことを示す応答を行なう構成であることを特徴とする情報処理装置。
【請求項３】
前記サーバ録画予約情報管理部は、
前記クライアントからのコンテンツ取得要求に応じたコンテンツ送信を実行するか否かを予め設定された選択アルゴリズムを実行して決定する構成であることを特徴とする請求項２に記載の情報処理装置。
【請求項４】
前記サーバ録画予約情報管理部は、
前記録画予約リストの更新がなされた場合に、更新がなされたことを示す更新通知を前記クライアントに送信する構成であることを特徴とする請求項２に記載の情報処理装置。
【請求項５】
前記情報処理装置は、さらに、
放送コンテンツの放送時間の変更に基づく前記録画予約リストの更新の必要性を判断する情報更新監視部を有し、
前記サーバ録画予約情報管理部は、
前記情報更新監視部からの前記録画予約リストの更新の必要性ありとの判断に基づいて前記録画予約リストの更新処理を行なう構成であることを特徴とする請求項２に記載の情報処理装置。
【請求項６】
前記サーバ録画予約情報管理部は、
前記録画予約リスト中に、録画予約番組の放送開始時間情報と、サーバ側で決定した録画実行開始時間情報を記録する構成であることを特徴とする請求項２に記載の情報処理装置。
【請求項７】
前記情報処理装置は、さらに、
前記放送波受信部が受信した現在時刻情報を保存し管理を行うサーバ時刻情報管理部を有し、
前記サーバ録画予約情報管理部は、
前記サーバ時刻情報管理部の取得した現在時刻情報を録画予約リストに記録してクライアントに提供する構成であることを特徴とする請求項２に記載の情報処理装置。
【請求項８】
前記情報処理装置は、
前記クライアントに送信するデータに対して設定するタイムスタンプの値を決定するタイムスタンプ管理部を有し、
前記タイムスタンプ管理部は、
前記クライアントから受信したデータに含まれる開始タイムスタンプ値に基づいて、通信中断後の送信データに設定するタイムスタンプの値を決定する処理を行なう構成であることを特徴とする請求項２に記載の情報処理装置。
【請求項９】
サーバにおいて受信された放送データを受信し、受信データの再生または記録を行なうクライアントとしての情報処理装置であり、
クライアントから入力される録画予約情報に基づいて前記サーバにおいて生成された録画予約リストを前記サーバから取得するクライアント録画予約情報管理部と、
前記録画予約リストに記録された録画予約情報に基づいて、録画予定コンテンツの取得要求を実行する録画処理部を有し、
前記録画処理部は、
前記録画予約リストの記録データである録画予約情報に含まれる各録画予約番組の開始予定時刻情報に基づいて、前記サーバに対するコンテンツ取得要求を送信する構成であることを特徴とする情報処理装置。
【請求項１０】
前記サーバの生成する録画予約リストは、録画予約番組の放送開始時間情報と、サーバ側で決定した録画実行開始時間情報が記録された構成であり、
前記録画処理部は、
前記録画予約リストに記録された録画実行開始時間情報に基づいてサーバに対するコンテンツ取得要求の出力タイミングを決定する処理を実行する構成であることを特徴とする請求項９に記載の情報処理装置。
【請求項１１】
前記サーバの生成する録画予約リストは、サーバの放送波受信部が受信した現在時刻情報が記録された構成を有し、
前記情報処理装置は、
前記録画予約リストに記録された現在時刻情報と、クライアントに備えられた時計との差分を算出するクライアント時刻情報管理部を有し、
前記録画処理部は、前記録画予約リストに記録された録画予約番組に対応する時間情報と、前記クライアント時刻情報管理部から提供される差分情報とに基づいて、録画処理の実行タイミングを決定する処理を行なう構成であることを特徴とする請求項９に記載の情報処理装置。
【請求項１２】
前記情報処理装置は、
前記サーバから受信するデータの復号処理および記憶部に記憶されるデータのタイムスタンプの値を保持するクライアント暗号処理部を有し、
前記録画処理部は、
前記サーバとの通信中断の後のコンテンツ送信要求の出力に際し、前記クライアント暗号処理部の保持するタイムスタンプの値を適用して、サーバにおけるコンテンツ送信再開時のデータに設定するタイムスタンプの値を開始タイムスタンプ値として決定し、開始タイムスタンプ値をサーバに通知する処理を実行する構成であることを特徴とする請求項９に記載の情報処理装置。
【請求項１３】
放送データを受信しネットワーク接続されたクライアントに受信データを出力するサーバとしての情報処理装置において実行する情報処理方法であり、
放送受信部が、放送データを受信する放送受信ステップと、
サーバ録画予約情報管理部が、前記クライアントから入力する録画予約情報に基づく録画予約リストを生成するステップと、
前記サーバ録画予約情報管理部が、ネットワーク接続されたクライアントからのコンテンツ取得要求データを受領し、時間の重複する複数のコンテンツ取得要求データに対して、コンテンツ送信処理を実行する要求データを選択し、選択された要求データの応答としてコンテンツ送信許諾応答を行い要求コンテンツの送信を行なうとともに、選択されなかった要求データの応答として要求が実行されないことを示す応答を行なうステップと、
を実行することを特徴とする情報処理方法。
【請求項１４】
サーバにおいて受信された放送データを受信し、受信データの再生または記録を行なうクライアントとしての情報処理装置において実行する情報処理方法であり、
クライアント録画予約情報管理部が、クライアントから入力される録画予約情報に基づいて前記サーバにおいて生成された録画予約リストを前記サーバから取得する録画予約情報管理ステップと、
録画処理部が、前記録画予約リストに記録された録画予約情報に基づいて、録画予定コンテンツの取得要求を実行する録画処理ステップを有し、
前記録画処理ステップは、
前記録画予約リストの記録データである録画予約情報に含まれる各録画予約番組の開始予定時刻情報に基づいて、前記サーバに対するコンテンツ取得要求を送信するステップを含むことを特徴とする情報処理方法。
【請求項１５】
放送データを受信しネットワーク接続されたクライアントに受信データを出力するサーバとしての情報処理装置において情報処理を実行させるコンピュータ・プログラムであり、
放送受信部に、放送データを受信させる放送受信ステップと、
サーバ録画予約情報管理部に、前記クライアントから入力する録画予約情報に基づく録画予約リストを生成させるステップと、
前記サーバ録画予約情報管理部に、ネットワーク接続されたクライアントからのコンテンツ取得要求データを受領させ、時間の重複する複数のコンテンツ取得要求データに対して、コンテンツ送信処理を実行する要求データを選択させ、選択された要求データの応答としてコンテンツ送信許諾応答を行わせて要求コンテンツの送信を行なわせるとともに、選択されなかった要求データの応答として要求が実行されないことを示す応答を行なわせるステップと、
を実行させることを特徴とするコンピュータ・プログラム。
【請求項１６】
サーバにおいて受信された放送データを受信し、受信データの再生または記録を行なうクライアントとしての情報処理装置において情報処理を実行させるコンピュータ・プログラムであり、
クライアント録画予約情報管理部に、クライアントから入力される録画予約情報に基づいて前記サーバにおいて生成された録画予約リストを前記サーバから取得させる録画予約情報管理ステップと、
録画処理部に、前記録画予約リストに記録された録画予約情報に基づいて、録画予定コンテンツの取得要求を実行させる録画処理ステップを有し、
前記録画処理ステップは、
前記録画予約リストの記録データである録画予約情報に含まれる各録画予約番組の開始予定時刻情報に基づいて、前記サーバに対するコンテンツ取得要求を送信させるステップを含むことを特徴とするコンピュータ・プログラム。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】０１３３
【補正方法】変更
【補正の内容】
【０１３３】
例えば図１に示す構成において、クライアント２５０，２６０は、ネットワークチューナ２００の受信する放送コンテンツを受信してクライアントの記憶部２５１，２６１に格納する録画処理を行なう場合、録画開始時刻や録画終了時刻を前述した予約リストに記録された時間情報を参照して行なうことになる。この際、クライアントの装置の持つ時計を利用して、予約リストに記録された時間になったことを確認して録画の開始処理や終了処理を行なうことになる。
【手続補正１２】
【補正対象書類名】明細書
【補正対象項目名】０１７３
【補正方法】変更
【補正の内容】
【０１７３】
図１７に示す例では、ＨＴＴＰのヘッダに開始タイムスタンプ値の設定情報を記述した例であり、クライアント２５０は「ストリーミングデータのタイムスタンプを０２ｅｄｆ（１６進数）から開始して下さい。」という要求をネットワークチューナ２００に送信した例である。この要求を受け取ったネットワークチューナ（サーバ）２００は、［０２ｅｄｆ］の開始タイムスタンプ値で始まるＭＰＥＧ２−ＴＴＳデータの送信を開始する。